(57)【特許請求の範囲】
【請求項１】
軒先等に固定される取付杆と、側壁に凹凸部が形成されたスライド長孔を備え、且つ雨樋の耳部を掛止する樋耳掛止部を設けた樋支持具本体と、これらを上下に貫通する連結軸で連結し、上記樋支持具本体を所望の位置で上記取付杆に固定できるロックレバーを備えた雨樋支持具において、
上記ロックレバーは、変形自在な部材で形成され、且つ、基端側には軸孔を設けた取付板部を形成すると共に、前方側には上記スライド長孔の凹凸部に係合される、片側或いは両側が鋸刃状に形成された係止爪片を形成して成り、
上記樋支持具本体を所望の位置にスライドした後、上記ロックレバーを変形させて、その係止爪片を上記スライド長孔の凹凸部に係合し、上記樋支持具本体を所望の位置で固定させる構造とした雨樋支持具。
【請求項２】
請求項１において、
上記ロックレバーの取付板部には、上記樋支持具本体に接するリブ足部が突出形成されている雨樋支持具。
【発明の詳細な説明】
【０００１】
【発明の属する技術分野】
本発明は、軒先等に固定される取付杆と、側壁に凹凸部が形成されたスライド長孔を備え、且つ雨樋の耳部を掛止する樋耳掛止部を設けた樋支持具本体と、これらを上下に貫通する連結軸で連結し、上記樋支持具本体を所望の位置で固定させるロックレバーを備えた雨樋支持具に関する。
【０００２】
【従来の技術】
図４は、従来の雨樋支持具を示す側面図及び底面図である。
【０００３】
この雨樋支持具１００は、軒先等に固定される取付杆１０１と、側壁に凹凸部１１１が形成されたスライド長孔１１２を備え、且つ雨樋Ｔの耳部を掛止する樋耳掛止部１２２を設けた樋支持具本体１０２と、これらを上下に貫通する連結軸１０３で連結し、樋支持具本体１０２を所望の位置で固定させるロックレバー１０４を備えて成る。
【０００４】
このロックレバー１０４は、連結軸１０３の上端側に縱回転されるように枢着されており、このロックレバー１０４を縱回転操作すれば、この操作に伴って連結軸１０３が引き上げられるため、連結軸１０３の下端側に設けたストッパー部１０５が、樋支持具本体１０２を引き上げ、これを取付杆１０１に圧接して固定できる。
【０００５】
また、ストッパー部１０５には、樋支持具本体１０２の凹凸部１１１に係合可能な突起部１１５が設けられており、ストッパー部１０５の引き上げ動作に伴って、その突起部１１５が凹凸部１１１に係合する構造にしている。
【０００６】
このように構成された雨樋支持具１００は、樋支持具本体１０２を取付杆１０１に圧接させて固定すると共に、そのスライドを確実に固定できるものであった。
【０００７】
【発明が解決しようとする課題】
しかし、この雨樋支持具１００は、樋支持具本体１０２を取付杆１０１に圧接させて固定させる構造であるため、ロックレバー１０４の操作によって樋支持具本体１０２を上方に移動させる機能を要し、雨樋支持具１００の構造が複雑になってしまう問題があった。
【０００８】
これを解決するため、本発明者等は、従来の雨樋支持具１００の構造の見直しを図ることから鋭意研究し、樋支持具本体１０２を取付杆１０１に圧接させて固定する機能の必要性に着目した。
【０００９】
すなわち、雨樋支持具１００の樋支持具本体１０２の位置を固定することは、これに取り付けられる雨樋Ｔを真っ直ぐに設置することからも重要な機能である。
【００１０】
しかしながら、樋支持具本体１０２を取付杆１０１に対して圧接して固定させなくても、樋支持具本体１０２のスライドを規制することはできる。
【００１１】
本発明は、かかる課題を解決することを目的とするもので、樋支持具本体のスライドを確実に固定でき、しかも簡易な構造の雨樋支持具を提供する。
【００１２】
【課題を解決するための手段】
上記目的を達成するため、
請求項１に係る雨樋支持具は、軒先等に固定される取付杆と、側壁に凹凸部が形成されたスライド長孔を備え、且つ雨樋の耳部を掛止する樋耳掛止部を設けた樋支持具本体と、これらを上下に貫通する連結軸で連結し、上記樋支持具本体を所望の位置で上記取付杆に圧接させて固定できるロックレバーを備えた雨樋支持具において、上記ロックレバーは、変形自在な部材で形成され、且つ、基端側には軸孔を設けた取付板部を形成すると共に、前方側には上記スライド長孔の凹凸部に係合される、片側或いは両側が鋸刃状に形成された係止爪片を形成して成り、上記樋支持具本体を所望の位置にスライドした後、上記ロックレバーを変形させて、その係止爪片を上記スライド長孔の凹凸部に係合し、上記樋支持具本体を所望の位置で固定させる構造にしている。
【００１３】
ここで、固定とは、樋支持具本体のスライドを規制して、スライドされた任意の位置に樋支持具本体を止めることをいう。
【００１４】
請求項１では、樋支持具本体を所望の位置にスライドした後、変形自在な部材のロックレバーを変形させて、その係止爪片を上記スライド長孔の凹凸部に係合し、樋支持具本体を所望の位置で固定させる構造にしている。
【００１５】
そのため、ロックレバーは、樋支持具本体を取付杆に圧接させて固定することなく、樋支持具本体のスライドだけを確実に固定でき、雨樋支持具を極めて簡易な構造にすることができる。
【００１６】
（削除）
【００１７】
また、係止爪片の片側或いは両側は、鋸刃状に形成されているので、この係止爪片がスライド長孔の凹凸部に係合した後は、係止爪片が抜け外れることなく樋支持具本体を確実に固定できる。
【００１８】
請求項２に係る雨樋支持具は、請求項１において、上記ロックレバーの取付板部には、上記樋支持具本体に接するリブ足部が突出形成されている。
【００１９】
請求項２では、ロックレバーの取付板部にはリブ足部が突出形成されているので、アンロック状態のときには、取付板部と樋支持具本体とを密接させた状態にして、樋支持具本体のスライドをスムーズに行うことができる。
【発明の実施の形態】
以下、本発明に係る雨樋支持具Ａを図面に基づき説明する。
【００２０】
図１は、本発明に係る雨樋支持具の分解斜視図、図２は、その組立斜視図である。
【００２１】
この雨樋支持具Ａは、軒先等に固定される取付杆１と、側壁に凹凸部２１が形成されたスライド長孔２２を備え、且つ雨樋Ｔの耳部を掛止する樋耳掛止部２３を設けた樋支持具本体２と、これらを上下に貫通する連結軸４で連結して、樋支持具本体２をスライド自在とし、この樋支持具本体２を所望の位置で取付杆１に固定できるロックレバー３とより成る。
【００２２】
なお、この連結軸４下端には、スプリングワッシャー等の弾性体を組み込んでおくことが望ましい。
【００２３】
この取付杆１は、軒先等に固定される取付板１１の端中央から前方に向けて足杆１２を延設し、その前端には、段落ちして形成された連結片部１３を形成している。
【００２４】
また、連結片部１３には、連結軸４の軸部４１が貫通される軸孔１４を開設している。
【００２５】
樋支持具本体２は、側壁に凹凸部２１が形成されたスライド長孔２２を備え、且つ雨樋Ｔの耳部を掛止する樋耳掛止部２３を設けている。
【００２６】
また、樋支持具本体２は、その長手方向の両側に、上方に向けて突出させた両側ガイド部２４、２４を形成し、この両側ガイド部２４、２４の間に取付杆１の連結片部１３を嵌合させて連結することで、両者の回転を防止している。
【００２７】
この両側ガイド部２４、２４を形成しているので、樋支持具本体２が横回転することなく、スムーズにスライドを行うことができる。
【００２８】
これら取付杆１や樋支持具本体２の形状は、取付場所や雨樋Ｔの形状に応じて適宜選択され、これに限定されるものではない。
【００２９】
ロックレバー３は、変形自在な部材、すなわち、変形させることはできるが、これが変形された後は、変形後の状態を維持し、元の形状に戻らない性質の部材を用いて形成される。
【００３０】
本実施例のロックレバー３は、帯板材を略Ｌ状に形成し、その基端側には、取付杆１の軸孔１４に重合される軸孔３１を設けた取付板部３２を形成すると共に、前方側には、上方に立起された操作片部３３を形成している。
【００３１】
この操作片部３３の下端には、スライド長孔２２の凹凸部２１に係合される係止爪片３４が下方に向けて切り起こして形成されている。
【００３２】
この係止爪片３４は、下方に向けて狭いテーパー状に形成されており、スライド長孔２２の凹凸部２１にスムーズに係合できる。
【００３３】
また、係止爪片３４の片側或いは両側は、鋸刃状に形成されている（不図示）。このような鋸刃状に形成すれば、この係止爪片３４がスライド長孔２２の凹凸部２１に係合した後は、係止爪片３４が抜け外れることなく樋支持具本体２を確実に固定できる。
【００３４】
また、ロックレバー３の取付板部３２は、下位でスライドされる樋支持具本体２に近接されるが、本実施例の取付板部３２には、下方に向けて膨出したリブ足部３５を形成している。
【００３５】
このようなリブ足部３５を形成することで、アンロック状態のときには、取付板部３２と樋支持具本体２とをリブ足部３５で部分的に密接させた状態にして、樋支持具本体２のスライドをスムーズに行うことができる。
【００３６】
図３（ａ）（ｂ）は、ロックレバーをロック、アンロック状態に操作したときの要部概略図である。
【００３７】
なお、図１、図２と共通する部材には、共通の符号を付し、その説明は省略している。
【００３８】
このように構成された雨樋支持具Ａの動作を図１〜図３に基づき説明する。
【００３９】
先ず、軒先等に取付杆１の取付板１１を釘、ネジ等で固定する。
【００４０】
そして、樋支持具本体２を取付杆１に対して前、後にスライドさせ、樋支持具本体２を所望の位置に決める〔図３（ａ）参照〕。
【００４１】
この位置で、ロックレバー３の操作片部３３を下方に向けて押圧すれば、ロックレバー３が変形すると共に、その係止爪片３４は、樋支持具本体２のスライド長孔２２の側壁に形成された凹凸部２１に強制的に押し込まれて係止される。
【００４２】
このとき、ロックレバー３は、変形自在な部材であるため、凹凸部２１に係止した状態を維持することができ、樋支持具本体２のスライドをロックして固定できる〔図３（ｂ）参照〕。
【００４３】
一方、ロックを解除するには、ロックレバー３を先程とは逆方向、つまり、操作片部３３を上方に引き上げれば、その係止爪片３４は、樋支持具本体２の凹凸部２１から離脱されてアンロックとなり、樋支持具本体２をスライド長孔２２に従って所望の位置にスライドすることができる〔図３（ａ）参照〕。
【００４４】
なお、本実施例で示したロックレバー３は、これを取付杆１の上方から操作する場合について説明したが、例えば、ロックレバー３の係止爪片３４を、これを下方から摘んでスライド長孔２２の凹凸部２１に係止させるなどすれば、このロックレバー３を樋支持具本体２の下方から操作することも可能である。
【発明の効果】
本発明によれば、次のような効果がある。
【００４５】
請求項１に係る雨樋支持具によれば、樋支持具本体を所望の位置にスライドした後、変形自在な部材のロックレバーを変形させて、その係止爪片を上記スライド長孔の凹凸部に係合し、樋支持具本体を所望の位置で固定させる構造にしている。
【００４６】
そのため、ロックレバーは、樋支持具本体を取付杆に圧接させて固定することなく、樋支持具本体のスライドだけを確実に固定でき、雨樋支持具を極めて簡易な構造にすることができる。
【００４７】
請求項２に係る雨樋支持具によれば、係止爪片の片側或いは両側は、鋸刃状に形成されているので、この係止爪片がスライド長孔の凹凸部に係合した後は、係止爪片が抜け外れることなく樋支持具本体を確実に固定できる。
【００４８】
請求項３に係る雨樋支持具によれば、ロックレバーの取付板部にはリブ足部が突出形成されているので、アンロック状態のときには、取付板部と樋支持具本体とを密接させた状態にして、樋支持具本体のスライドをスムーズに行うことができる。
【図面の簡単な説明】
【図 １】本発明に係る雨樋支持具の分解斜視図
【図 ２】本発明に係る雨樋支持具の組立斜視図
【図 ３】（ａ）（ｂ）は、ロックレバーをロック、アンロック状態に操作したときの要部概略図
【図 ４】従来の雨樋支持具を示す組立斜視図
【符号の説明】
Ａ      雨樋支持具
Ｔ      雨樋
１      取付杆
２      樋支持具本体
２１    凹凸部
２２    スライド長孔
２３    樋耳掛止部
３      ロックレバー
３１    軸孔
３２    取付板部
３３    操作片部
３４    係止爪片
３５    リブ足部
４      連結軸
【図１】
0004653905.tif 000002
【図２】
0004653905.tif 000003
【図３】
0004653905.tif 000004
【図４】
0004653905.tif 000005